(57)【要約】      （修正有）【課題】香気成分が減少しても、再び香気成分を揮発させることができる枕の提供。【解決手段】シリンジに水を４０〜５０ｍＬ入れ、カバー３から突出しているチューブ５の他端にシリンジの先端を差し込む。次に、プランジャを押してチューブ５内に水を注入する。すると、水が連通孔７から充填材１１に流出し、充填材１１全体に広がるように吸収されていく。枕１の充填材１１をわずかに湿らせることによって、水とともにヒノキの香気成分も揮発させ、再び新品同様の香気を得る。【選択図】図２
2014131537.tif 000002
【特許請求の範囲】
【請求項１】
通気性を有する素材で形成されたカバーと、前記カバーに充填され香気成分を有する天然木材の切屑で形成される充填材とによって構成される枕において、前記カバー内へ挿入され一端側がカバー外へ突出しているチューブを有し、前記チューブの外周面には連通孔が形成されていることを特徴とする枕。
【請求項２】
請求項１に記載した枕において、切屑は薄片状であることを特徴とする枕。
【請求項３】
請求項２に記載した枕において、切屑の厚さ寸法は０．１ｍｍより小さいことを特徴とする枕。
【請求項４】
請求項２または３に記載した枕において、切屑は折り曲げられた形状若しくは湾曲された形状でカバーに充填されていることを特徴とする枕。
【発明の詳細な説明】
【技術分野】
【０００１】
本発明は枕に係り、特に天然木材を充填材とする枕に関するものである。
【背景技術】
【０００２】
枕の充填材として、綿、もみがら、そばがら、合成樹脂の粒子、天然木材のチップ等様々なものが使用されている。天然木材のうち、特にヒノキやスギ、ヒバ、クスノキ等を充填材として使用すれば、充填材から天然木材特有の香気成分が揮発することによって、使用者がリラックス効果、抗菌・消臭作用、抗アレルギー効果等を得ることができる。このような天然木材を充填材として使用した枕の例として、特許文献１に記載されたものがある。
【先行技術文献】
【特許文献】
【０００３】
【特許文献１】特開２００７−１０５４２７号公報
【発明の概要】
【発明が解決しようとする課題】
【０００４】
しかしながら、ヒノキ、スギ、ヒバ、クスノキ等を充填材として使用した枕は数ヶ月使用すると木材特有の香気成分の揮発する量が減少し、その香気成分によって得られる効果も薄くなってしまうという問題がある。
【０００５】
本発明は上記従来の問題に着目して為されたものであり、香気成分の揮発する量が一旦減少しても、その香気成分が揮発する量を再び増加させることができる枕の提供を、その目的とする。
【課題を解決するための手段】
【０００６】
本発明は上記課題を解決するためになされたものであり、請求項１の発明は、通気性を有する素材で形成されたカバーと、前記カバーに充填され香気成分を有する天然木材の切屑で形成される充填材とによって構成される枕において、前記カバー内へ挿入され一端側がカバー外へ突出しているチューブを有し、前記チューブの外周面には連通孔が形成されていることを特徴とする枕である。
【０００７】
請求項２の発明は、請求項１に記載した枕において、切屑は薄片状であることを特徴とする枕である。
【０００８】
請求項３の発明は、請求項２に記載した枕において、切屑の厚さ寸法は０．１ｍｍより小さいことを特徴とする枕である。
【０００９】
請求項４の発明は、請求項２または３に記載した枕において、切屑は折り曲げられた形状若しくは湾曲された形状でカバーに充填されていることを特徴とする枕である。
【発明の効果】
【００１０】
本発明の枕によれば、香気成分の揮発する量が一旦減少しても、水を注入して充填材を湿らせることによって、その香気成分が揮発する量を再び増加させることができる。
【図面の簡単な説明】
【００１１】
【図１】本発明の実施の形態に係る枕の斜視図である。
【図２】図１のＡ−Ａ断面図である。
【図３】図１のＢ−Ｂ断面図である。
【図４】図１のチューブから枕に水を入れる方法を説明する正面図である。
【図５】図１の枕の使用方法を説明する斜視図である。
【発明を実施するための形態】
【００１２】
本発明の実施の形態に係る枕１を図１から図３にしたがって説明する。
符号３はカバーを示し、このカバー３は通気性を有する素材で形成され、２枚の長方形の縁が縫い合わされた袋状を成している。カバー３の内部には、長手方向に内径がφ８ｍｍの合成樹脂製のチューブ５が挿入されている。このチューブ５には複数の連通孔７が形成されており、この連通穴７はφ４ｍｍ程度の丸孔である。連通孔７は外周面に等間隔に配置され、径方向に互いに対向している。チューブ５の一端側はカバー３外に突出しており、他端側はカバー３内に収容されている。チューブ５の他端側の端部にはキャップ９が填められて閉鎖されており、このキャップ９は先端が尖った形状を成している。
また、カバー３内部にはヒノキ材の切屑（カンナくず）である充填材１１が充填されている。この充填材１１は薄片状を成しており、その厚さ寸法は０．１ｍｍより小さくなるように配置されている。この厚さ寸法は、好適には０．０７ｍｍ程度である。充填材１１は含水率が１０％未満の乾燥された状態のもので、図２に示すように、充填材１１はそれぞれが折り曲げられた形状若しくは湾曲された形状でカバー３に充填されている。
【００１３】
次に、枕１の使用方法について説明する。
枕１は図５に示すように、通常の枕と同様、頭の下に敷いて使用する。充填材１１から揮発する香気成分は通気性を有するカバー３を通過してカバー３外へ放出されるため、使用者は充填材１１の香気成分が有するリラックス効果、抗菌・消臭作用、抗アレルギー効果等を得ることができる。
また、枕１は３か月以上使用するとヒノキの香気成分の揮発する量が減少してしまう。従って、次に示す手順で枕１の充填材１１をわずかに湿らせて、水とともにヒノキの香気成分を揮発させることによって、一旦減少した香気成分の量を増加させ、再び香気成分を得ることができる
【００１４】
まず、シリンジ１３に水を４０〜５０ｍＬ入れ、図４に示すように、カバー３から突出しているチューブ５の他端にシリンジ１３の先端を差し込む。次に、プランジャ１４を押してチューブ５内に水を注入する。すると、図４（ａ）に示すように、水が連通孔７から充填材１１に流出し、図４（ｂ）に示すように、充填材１１全体に広がるように吸収されていく。
【００１５】
上記の手順で水を枕１の中に注入することによって、香気成分の揮発する量を再び増加させることができるため、およそ３ヶ月に一度４０〜５０ｍＬ程度繰り返し水を注入すれば、使用者は常に香気成分の効果を得ることができる。
また、アロマオイル等を少量混ぜた水をチューブ５内に注入すれば、使用者の好みに応じてより香り高い香気を得ることができる。
チューブ５に水を注入すると枕１が湿らされるため、特に冬の乾燥時には枕１から加湿効果を得ることができ、顔や首の肌の乾燥を防ぐことができる。
【００１６】
以上、本発明の実施の形態について詳述してきたが、具体的構成は、この実施の形態に限られるものではなく、本発明の要旨を逸脱しない範囲における設計の変更などがあっても発明に含まれる。
例えば、本実施の形態ではチューブ５に水を直接注入したが、本発明はこの方法に限られず、例えば蒸気を注入してもよい。また、リラックス効果をより高めて快適に使用するために、季節に応じてチューブ５に冷たい空気を送ったり、暖かい空気を送ったりしてもよい。
さらに、本実施の形態ではヒノキ材のカンナくずを充填剤として使用したが、スギ、ヒバ等香気成分を有する他の木材のものを使用してもよい。
【産業上の利用可能性】
【００１７】
枕の製造業に利用可能性を有する。
【符号の説明】
【００１８】
１…枕    ３…カバー    ５…チューブ    ７…連通孔    ９…キャップ
１１…充填材    １３…シリンジ    １４…プランジャ
【図１】
2014131537.tif 000003
【図２】
2014131537.tif 000004
【図３】
2014131537.tif 000005
【図４】
2014131537.tif 000006
【図５】
2014131537.tif 000007